(57)【要約】      （修正有）【課題】傾斜地や寒冷地においてもソーラーパネルを確実に配置することができるソーラーパネルのフレームの支持架台を提供する。【解決手段】頂部に側面視略円弧状に形成された支持面１２を有する本体１１と、上部側に桁材５０を固定する取付部２１が設けられると共に、下部側に本体１１の支持面１２に対応する曲面を備えた基底面２３を有する取付部材２０とを備え、取付部材２０の基底面２３を本体１１の支持面１２の任意の位置に固定可能に形成することにより取付部材２０に固定された桁材５０の配置角度を調整可能とし、それによってフレームの傾斜角度を調整可能とした。【選択図】図１
2016127716.tif 000002
【特許請求の範囲】
【請求項１】
ソーラーパネルが配置されるフレームを支持するソーラーパネルのフレームの支持架台において、
前記フレームを構成する桁材を支持固定する支持部材を備え、
前記支持部材は、
頂部に側面視略円弧状に形成された支持面を有する本体と、
上部側に前記桁材を固定する取付部が設けられると共に、下部側に前記本体の前記支持面に対応する曲面を備えた基底面を有する取付部材と、
を備え、
前記取付部材の前記基底面を前記本体の前記支持面の任意の位置に固定可能に形成することにより前記取付部材に固定された前記桁材の配置角度を調整可能とし、それによって前記フレームの傾斜角度を調整可能としたことを特徴とするソーラーパネルのフレームの支持架台。
【請求項２】
請求項１に記載のソーラーパネルのフレームの支持架台において、
前記取付部材の前記基底面及び前記本体の支持面は摺動可能に形成されていることを特徴とするソーラーパネルのフレームの支持架台。
【請求項３】
請求項１に記載のソーラーパネルのフレームの支持架台において、
前記取付部材の前記基底面及び前記本体の支持面は互いに噛合可能な凹凸が形成されていることを特徴とするソーラーパネルのフレームの支持架台。
【請求項４】
請求項１から３のいずれか１項に記載のソーラーパネルのフレームの支持架台において、
前記側面視円弧状の支持面には前記桁材の傾斜角度を確認するための指標が設けられていることを特徴とするソーラーパネルのフレームの支持架台。
【請求項５】
請求項１から４のいずれか１項に記載のソーラーパネルのフレームの支持架台において、
前記取付部材の前記取付部は、前記桁材の配置角度を平面視における回転方向に調整可能に形成されていることを特徴とするソーラーパネルのフレームの支持架台。
【請求項６】
請求項１から５のいずれか１項に記載のソーラーパネルのフレームの支持架台において、
前記支持部材は、前記本体を保持する基台を備え、
前記本体は前記基台に対して、前記本体の前記支持面と前記取付部材の前記基底面との配置位置によって調整される前記桁材の傾斜方向と直交する方向に傾斜可能とされていることを特徴とするソーラーパネルのフレームの支持架台。
【請求項７】
請求項６に記載のソーラーパネルのフレームの支持架台において、
前記本体と前記基台との間に高さ調整のための柱状部材を介在させたことを特徴とするソーラーパネルのフレームの支持架台。
【請求項８】
所定の形状に組み付けられた前記フレームに複数のソーラーパネルを配置すると共に、前記フレームを請求項１から７のいずれか１項に記載のソーラーパネルのフレームの支持架台によって支持したことを特徴とする太陽光発電システム。
【請求項９】
請求項８に記載の太陽光発電システムにおいて、
前記フレームを枠状に形成し、前記フレームの少なくとも４箇所を前記支持架台によって支持したことを特徴とする太陽光発電システム。
【発明の詳細な説明】
【技術分野】
【０００１】
本発明は、ソーラーパネルのフレームを支持するための支持架台及び太陽光発電システムに関し、さらに詳しくは、傾斜地や寒冷地においてもソーラーパネルを確実に配置することができるソーラーパネルのフレームの支持架台及び太陽光発電システムに関する。
【背景技術】
【０００２】
近年、温室効果ガスであるＣＯ２の削減やクリーンエネルギーとして太陽光発電システムが注目され、各所にソーラー発電所が建設されている。発電力が大きな太陽光発電を行うためには多数のソーラーパネルを太陽光が当たる好ましい方向に向けて設置する必要がある。そのため、ソーラーパネルが配置されるフレームにはソーラーパネルの角度調整ができるような機構が設けられている。例えば、フレームの傾斜角度が所望の角度に保持できる構造としては特許文献１に示すものがある。
【０００３】
ソーラーパネルの設置場所としては、南向きに開けた平坦な地形であることが好ましいが、そのような場所が常に確保できるわけではなく、実際には山や丘陵地帯のような傾斜地に設置することもある。そのため、傾斜地に設置するのに適した構造として、例えば、特許文献２，３に示すような架台が提案されている。特許文献２の太陽光発電パネル支持架台は、２本の支柱で梁枠を支持すると共に、その上に支持梁を配置して支持架台を構成している。また、特許文献３の太陽電池モジュール取り付け構造は、１本の支柱に傾斜角の調整を可能とした支持部材を取り付けこの支持部材に太陽電池モジュールを配置する構成である。
【先行技術文献】
【特許文献】
【０００４】
【特許文献１】特開２０１４−３１７１０号公報
【特許文献２】実用新案登録第３１８１７７８号公報
【特許文献３】特開２０１４−５６６８号公報
【発明の概要】
【発明が解決しようとする課題】
【０００５】
フレーム広い面積を有して配置される平面状のソーラーパネルを傾斜地に配置しようとする場合、例えば、特許文献２，３に示すように、支柱の数を１又は２本とし、支柱の頂部でソーラーパネルの傾斜角度を調整可能とする構造は設置も容易で角度調整も簡便に行うことができると考えられる。
【０００６】
しかしながら、多数のソーラーパネルを広い面積に配置したフレームには風圧などの大きな荷重がかかるため傾斜角度を維持できることはもちろんであるが、フレームが確実に保持できるものでなければならない。また、太陽光発電システムは積雪量が多い豪雪地帯に設置する場合もあり、ソーラーパネルの上に一晩で大量の雪が積もりフレームと架台との連結部分に大きな荷重がかかるという問題がある。そのため、固定用ボルトを大きくしたり各部材の強度を高めることなどによって構造的な強度は確保できるかもしれないが、ソーラーパネルに加わる外力によってボルトが緩んでしまうおそれがある。
【０００７】
また、支柱が１又は２本の場合には支持可能なソーラーパネルの枚数が制限される。電力価格を決定するに際して使用する部材のコストも考慮されるが、１つの架台にできるだけ沢山のソーラーパネルが配置できる架台の方が電力価格にかかるコストは安くなる。もちろん、支柱が１又は２本の場合には支柱を太くする等により支持可能なソーラーパネルの枚数を増やすことはできるが支柱のコストが高くなることから電力価格もその分高くなってしまうという問題がある。太陽光発電システムにおいて電力価格は極めて重要な要素である。一方で、４本の支柱でソーラーパネルが搭載されたフレームを支持するようにした場合、設置場所が平坦でない場合には設置面の状況に合わせて各支柱の高さを適宜に調整しなければならず、とても面倒な作業となっていた。
【０００８】
そこで、本発明は、かかる問題点に鑑みなされたもので、傾斜地や寒冷地においてもソーラーパネルを確実に配置することができるソーラーパネルのフレームの支持架台及び太陽光発電システムを提供することを目的とする。
【０００９】
また、本発明は、ソーラーパネルが配置されるフレームを確実に保持することができ、しかもフレームの設置角度を所望の角度に調整可能なソーラーパネルのフレームの支持架台及び太陽光発電システムを提供することを目的とする。
【課題を解決するための手段】
【００１０】
上記課題を解決するために請求項１に記載の発明は、ソーラーパネルが配置されるフレームを支持するソーラーパネルのフレームの支持架台において、前記フレームを構成する桁材を支持固定する支持部材を備え、前記支持部材は、頂部に側面視略円弧状に形成された支持面を有する本体と、上部側に前記桁材を固定する取付部が設けられると共に、下部側に前記本体の前記支持面に対応する曲面を備えた基底面を有する取付部材とを備え、前記取付部材の前記基底面を前記本体の前記支持面の任意の位置に固定可能に形成することにより前記取付部材に固定された前記桁材の配置角度を調整可能とし、それによって前記フレームの傾斜角度を調整可能としたことを特徴とする。
【００１１】
上記課題を解決するために請求項２に記載の本発明は、請求項１に記載のソーラーパネルのフレームの支持架台において、前記取付部材の前記基底面及び前記本体の支持面は摺動可能に形成されていることを特徴とする。
【００１２】
上記課題を解決するために請求項３に記載の本発明は、請求項１に記載のソーラーパネルのフレームの支持架台において、前記取付部材の前記基底面及び前記本体の支持面は互いに噛合可能な凹凸が形成されていることを特徴とする。
【００１３】
上記課題を解決するために請求項４に記載の本発明は、請求項１から３のいずれか１項に記載のソーラーパネルのフレームの支持架台において、前記側面視円弧状の支持面には前記桁材の傾斜角度を確認するための指標が設けられていることを特徴とする。
【００１４】
上記課題を解決するために請求項５に記載の本発明は、請求項１から４のいずれか１項に記載のソーラーパネルのフレームの支持架台において、前記取付部材の前記取付部は、前記桁材の配置角度を平面視における回転方向に調整可能に形成されていることを特徴とする。
【００１５】
上記課題を解決するために請求項６に記載の本発明は、請求項１から５のいずれか１項に記載のソーラーパネルのフレームの支持架台において、前記支持部材は、前記本体を保持する基台を備え、前記本体は前記基台に対して、前記本体の前記支持面と前記取付部材の前記基底面との配置位置によって調整される前記桁材の傾斜方向と直交する方向に傾斜可能とされていることを特徴とする。
【００１６】
上記課題を解決するために請求項７に記載の本発明は、請求項６に記載のソーラーパネルのフレームの支持架台において、前記本体と前記基台との間に高さ調整のための柱状部材を介在させたことを特徴とする。
【００１７】
上記課題を解決するために請求項８に記載の本発明は、所定の形状に組み付けられた前記フレームに複数のソーラーパネルを配置すると共に、前記フレームを請求項１から７のいずれか１項に記載のソーラーパネルのフレームの支持架台によって支持したことを特徴とする太陽光発電システムを提供する。
【００１８】
上記課題を解決するために請求項９に記載の本発明は、請求項８に記載の太陽光発電システムにおいて、前記フレームを枠状に形成し、前記フレームの少なくとも４箇所を前記支持架台によって支持したことを特徴とする。
【発明の効果】
【００１９】
本発明に係るソーラーパネルのフレームの支持架台及び太陽光発電システムによれば、取付部材の基底面を本体の側面視円弧状の支持面に沿って任意の位置で固定可能としたので桁材の配置角度を調整できると共に、桁材は基底面を介して支持面によって確実に支持されるので従来のようにボルトによる固定に比べて保持力及び安全性が高まるという効果がある。また、取付部を桁材の配置角度を平面視における回転方向に調整可能に形成し、さらに、本体を基台に対し、本体の支持面と取付部材の基底面との配置位置によって調整される桁材の傾斜方向と直交する方向に傾斜可能としたので多数のソーラーパネルが配置されたフレームを任意の方向に容易に配置することができるという効果がある。
【００２０】
また、本発明に係るソーラーパネルのフレームの支持架台及び太陽光発電システムによれば、複数のソーラーパネルが配置された枠状のフレームを支持架台によって支持することとしたので、複数のソーラーパネルを太陽の方向へ容易に向けることができると共に、従来よりも多数のソーラーパネルをフレームに配置することができるので発電量に対する設備のコストを抑えることができるという効果がある。
【図面の簡単な説明】
【００２１】
【図１】本発明に係るソーラーパネルのフレームの支持架台の一実施形態を示す側面図である。
【図２】図１に示すソーラーパネルのフレームの支持架台の正面図である。
【図３】本体の正面図である。
【図４】支持面に設けられた凹所の説明図である。
【図５】（ａ）は取付部材の側面図、（ｂ）はその平面図である。
【図６】（ａ）は当て板の平面図、（ｂ）はその側面図である。
【図７】支持面と基底面の他の実施形態を示す側面図である。
【図８】本発明に係る太陽光発電システムの一実施形態の平面図である。
【図９】図８に示す太陽光発電システムの側面図である。
【図１０】柱状部材による高さ調整を示す説明図である。
【発明を実施するための形態】
【００２２】
［ソーラーパネルのフレームの支持架台の構成］
以下、本発明に係るソーラーパネルのフレームの支持架台及び太陽光発電システムについて、好ましい一実施形態に基づいて詳細に説明する。図１は本発明に係るソーラーパネルのフレームの支持架台の一実施形態を示す側面図である。図示されたソーラーパネルのフレームの支持架台（以下、単に「架台」という。）１は、概略として、桁材５０と梁材５５及び補助材５１を略井桁状に組み合わせて形成されるフレーム４０を構成する桁材５０を支持固定する支持部材１０を備えており、この支持部材１０は、頂部が側面視円弧状に形成された支持面１２を備えた本体１１と、上部側に桁材５０を固定する取付部２１が設けられると共に、下部側に本体１１の支持面１２に対応する曲面を備えた基底面２３を備えた取付部材２０とを備えて構成されており、取付部材２０の基底面２３を本体１１の側面視円弧状の支持面１２の任意の位置で固定することにより桁材５０を所定の傾斜角度に設置することができるように構成されている。また、支持部材１０は、本体１１を保持する基台３０を備えており、本体１１は基台３０に対し、桁材５０を取付部材２０の基底面２３と本体１１の支持面１２との配置位置による傾斜方向に対して直交する方向に傾斜可能に形成されている。
【００２３】
［本体］
本体１１は、多数のソーラーパネル５，５が配置されるフレーム４０を構成する桁材５０を支持する部材であり、所定の強度が要求されることから金属製材料によって形成することが好ましく、本実施形態ではさらに軽量化も考慮してアルミ材によって形成されている。また、アルミ材の他、錆びに強いステンレス材などを用いることもできる。本体１１は、図１に示すように、頂部が側面視円弧状に形成された支持面１２とされており、この支持面１２は下方側に向かうにつれて次第に先窄まりの形状とされ、側面視略Ｕ字状に形成された本体１１に連続するように形成されている。支持面１２の下側の本体１１は両側面が開口した略直方体形状とされている。支持面１２の下側は広い空間が形成されているが、これは後述する取付部材２０をボルト１５で支持面１２に固定する際の作業を行い易くするためである。すなわち、ボルト１５を締着する際のトルクレンチの動作領域を確保するためである。
【００２４】
また、本体１１は、後述する基台３０にボルト１５，１５及びナット１６，１６によって固定することができるようにボルト孔１４ａ,１４ｂが穿設されている。ここで、下方に位置するボルト孔１４ｂは丸孔とされ、上方に位置するボルト孔１４ａは円弧状の長孔となっている。そして、図３（ａ）では、ボルト孔１４ａはボルト孔１４ｂを中心として本体１１を基台３０に対して約１０°〜２０°傾斜して配置させることができるような長さに形成されている。ボルト孔１４ａの長さは特に限定されるものではないが、約０°〜３０°或いは約１０°〜３０°傾斜可能とした方がより幅広く傾斜地に対応することが可能となる。尚、図３（ａ）では、ボルト孔１４ａは予め垂直方向に対して本体１１を約１０°傾斜させる方向に設けられている。一方、図３（ｂ）では、ボルト孔１４ａは、両方向にそれぞれ約２０°傾斜可能に形成されている。もちろんこれらは一例であり、ボルト孔１４ａは適宜の長さに形成することができる。
【００２５】
また、後述する取付部材２０が取り付けられる支持面１２には、側面視円弧状の支持面１２に沿うようにしてボルト１５，１５を挿通するための２つの長孔１２ａ，１２ａが平行に穿設されている。さらに、支持面１２には、図４に示すように、一定の間隔で５箇所に凹所１９，１９が設けられている。この凹所１９，１９は取付部材２０を傾斜させた際に取付部材２０傾斜角度を作業者が目視で確認するための指標となる。尚、指標はこれに限らず、適宜の数を設けることが可能であり、また、支持面１２の側面に角度の目盛りを付したもの等であってもよい。
【００２６】
［取付部材］
取付部材２０は、図５（ａ）（ｂ）に示すように、上部側に桁材５０を固定するための取付部２１が設けられると共に、下部側に本体１１の支持面１２に対応する曲面を備えた基底面２３を備えて形成されている。取付部材２０は、支持部材１０と同様に、所定の強度が要求されることから金属製材料によって形成することが好ましく、本実施形態では軽量化も考慮してアルミ材によって形成されている。また、アルミ材の他、錆びに強いステンレス材などを用いることもできる。取付部材２０の取付部２１は、図５（ｂ）に示すように、桁材５０の表面に面接触可能に平面状に形成され、桁材５０を固定するためのボルト孔２５，２５は桁材５０の配置角度を平面視における回転方向に調整することができるように円弧状の長孔となっている。また、基底面２３には本体１１に固定するためのボルト孔２７，２７が穿設されている。そして、取付部材２０は支持面１２の裏側から図６に示すような当て板２９を介してボルト１５とナット１６によって固定される。尚、ナット１６でボルト１５を締着する際にボルト１５の頭部が空回りすることなく固定されるようにボルト孔２７，２７の近傍には幅方向に沿って壁状の固定板２６，２６が配置されている。また、当て板１９は、図６（ａ）に示すように、平面視略長方形で丸い２つのボルト孔２９ａ，２９ａが穿設されており、図６（ｂ）に示すように、側面形状は支持面１２の裏面に密接可能な曲面を有するかまぼこ形に形成されている。
【００２７】
ここで、本実施形態では、取付部材２０の基底面２３と本体１１の支持面１２はそれぞれ摺動可能に滑らかな面に形成されているが、図７に示すように、取付部材２０の基底面２３と本体１１の支持面２３を互いに噛合可能な凹凸に形成することもできる。図７は支持面と基底面の他の実施形態を示す側面図である。図示されているように、取付部材２０の基底面２３と本体１１の支持面２３にはそれぞれ互いに噛合可能な歯車のような凹凸が形成されており、これにより、取付部材２０と本体１１を適宜の角度に配置して取り付けることができるようになっている。また、図７の実施形態では、支持面１２は、図１に示す実施形態と異なり、支持面１２が左右対称ではなく太陽の方向に向けやすいように左右非対称に形成されている。
【００２８】
［基台］
基台３０は、本体１１を所定の傾斜角度に保持するための部材であり、本実施形態では支持部材１０を構成する部材である。本体１１は、ボルト１５によって本体１１に形成された長孔であるボルト孔１４ａの任意の位置で基台３０に固定することにより、基台３０に対して、本体１１の支持面１２と取付部材２０の基底面２３との配置位置によって調整される桁材５０の傾斜方向と直交する方向に傾斜可能とされている。基台３０は、取付部材２０及び支持部材１０と同様に、所定の強度が要求されることから金属製材料によって形成することが好ましく、本実施形態では軽量化も考慮してアルミ材によって形成されている。また、アルミ材の他、錆びに強いステンレス材などを用いることもできる。基台３０は、底板３３と、この底板３３から立設された左右の側面板３１，３１を備えて形成されており、側面板３１，３１は、本体１１を傾斜させた状態において本体１１の下側が側面板３１，３１からはみ出すことがないように下方側が末広がりの形状とされている。もちろん、このような形状に限定されるわけではなく単に矩形状としても構わない。また、基台３０には、本体１１を固定するためのボルト１５，１５を挿通するための図示しないボルト孔が上下２段に形成されている。
【００２９】
ここで、基台３０と本体１１との間に図７に示すような適宜の高さに調整された柱状部材３５を介在させる構造とすることもできる。基台３０と本体１１との間に適宜の高さに調整された柱状部材３５を介在させることで設置面が平坦ではない、例えば、傾斜面や不整地面であってもフレーム４０の高さ位置を調整することが可能となりソーラーパネル５，５を配置したフレーム４０を確実に太陽の方向へ向けるように設置することができる。柱状部材３５が取り付けられる本体１１は、その下部側が略Ｈ字形状のように下方が開放状態に形成され、その内部に柱状部材３５の上部が挿入される。柱状部材３５の上部及び下部には本体１１及び基台３０に固定するためにボルト１５，１５が挿通される図示しないボルト孔が設けられている。このとき、本体１１に設けられた長孔状のボルト孔１４ａの適宜の位置で柱状部材３５に固定することで桁材４０を所定の傾斜角度で配置することが可能となる。このように、架台１はフレーム４０の配置位置を高さ方向だけでなく、東西方向、南北方向及び平面視における回転方向に調整することができるので設置面が平坦でない場合であっても隣り合うフレーム４０，４０同士に段差を生じさせることなく高さを揃えて配置することが可能となる。隣り合うフレーム４０，４０に段差があると高い位置にあるソーラーパネル５，５が低い位置にあるソーラーパネル５，５に影を落として発電効率が低下するおそれがあるが、架台１によればそのようなおそれを回避することができる。
【００３０】
［太陽光発電システム］
次に、ソーラーパネルのフレームの支持架台を利用した太陽光発電システムについて説明する。図８はソーラーパネルのフレームの支持架台を利用した太陽光発電システムの平面図、図９はその側面図である。図示された太陽光発電システム１００は、桁材５０，梁材５５及び補助材５１を略井桁状に組み合わせたフレーム４０の上に３×４＝１２枚のソーラーパネル５，５が配置されており、このフレーム４０を上述した架台１，１によって４箇所で支持するようにして形成されている。尚、ソーラーパネルの配置はこれに限らず、例えば、４×３＝１２枚としてもよく、また、３×３＝９枚等、適宜の枚数を配置することができるが、１つの架台１が支持する単位当たりのソーラーパネルの枚数はできるだけ多い方が好ましい。また、本実施形態では補助材５１は梁材５５と同じ部材を使用しているが、異なる部材を使用しても良い。図９に示す実施形態では、架台１を構成する基台３０は、設置面となる地面Ｇの所定箇所に打設された前後で高さ位置が異なるアンカー杭６０，６０の上部に取り付けられている。この場合、架台１の配置高さはアンカー杭６０，６０の埋設深さによって調整することができる。一方、図１０に示す実施形態では、基台３０はアンカー杭６０，６０によらず、同じ高さに打設されたコンクリート製の基礎６５，６５の上に取り付けられている。この場合、基台３０と本体１１との間に柱状部材３５を介在させることでフレーム４０の傾斜角度を適宜に調整できるようになっている。また、設置面である地面Ｇの傾斜に合わせて長孔状のボルト孔１４ａを利用して本体１１と基台３０若しくは本体１１と柱状部材３５とのなす角を適宜に調整されて本体１１が基台３０に固定される。尚、ここでの角度調整は主として南北方向の角度が調整される。
【００３１】
図９における前方の２箇所（手前側の架台１’のみが図示されている）に配置された架台１’と後方の２箇所（手前側の架台１のみが図示されている）に配置された架台１との間にはそれぞれ桁材５０，５０が架け渡されるようにして配置されている。桁材５０は、予め桁材５０に取り付けられた取付部材２０によって本体１１の支持面１２に取り付けられている。また、取付部材２０は支持面１２に設けられた２つの長孔１２ａ，１２ａを利用して桁材５０を配置する角度を調整した状態で支持面１２に取り付けられる。尚、ここでの角度調整は主として東西方向の角度が調整される。さらに必要があれば、取付部材２０に設けられた円弧状の長孔であるボルト孔２５，２５を利用して桁材５０の回転方向における配置角度の調整を行う。これにより、隣り合う一方のフレーム４０に配置されたソーラーパネル５が他方のソーラーパネル５の影にならないようにするために、従来では４つの各支柱の高さをそれぞれ調整するという面倒な作業が必要であったものが、その必要がなくなり、隣り合うフレーム４０，４０の位置関係を容易に調整することが可能となる。
【００３２】
一方、桁材５０には桁材５０と直交するようにして長尺部材である梁材５５，５５が架け渡されている。梁材５５，５５は、図９における前方の架台１’と後方の架台１同士を結ぶようにして桁材５０の上部側にそれぞれ配置されている。さらに、梁材５５，５５との間には桁材５０と平行になるように所定の間隔で複数の補助材５１，５１が配置されている。これにより、桁材５０と梁材５５さらに補助材５１によって略井桁状のフレーム４０が形成されている。尚、図１０に示す実施形態も同様にしてフレーム４０が形成されている。このようにして形成されたフレーム４０の上には３×４＝１２枚のソーラーパネル５，５が配置される。そして、このフレーム４０の前後左右にも同様にしてフレーム４０が配置されて、太陽光発電システムが形成される。ソーラーパネル５，５により発電された電気は図示しない配線を介して送電される。
【００３３】
［実施形態の効果］
このようにして形成されたフレーム４０は、円弧状の支持面１２によって取付部材２０の傾斜角度を設定して桁材５０を保持するようにしたので強度に対する信頼性が高まると共に、１つの架台１，１’に対して配置させるソーラーパネルの単位面積を増大させることができるのでコストパフォーマンスが高まるという効果が有る。
【００３４】
以上のように、本発明の好ましい実施形態について詳述したが、本発明は係る特定の実施形態に限定されるものではなく、特許請求の範囲に記載された本発明の要旨の範囲内において、種々の変形・変更が可能であることはいうまでもない。
【符号の説明】
【００３５】
１,１’      ソーラーパネルのフレームの支持架台（架台）
５      ソーラーパネル
１０      支持部材
１１      本体
１２      支持面
１２ａ      長孔
１４ａ,１４ｂ      ボルト孔
１５      ボルト
１６      ナット
１９      凹所
２０      取付部材
２１      取付部
２３      基底面
２５      ボルト孔
２７      ボルト孔
２９      当て板
２９ａ      ボルト孔
３０      基台
３１      側面板
３１ａ      ボルト孔
３３      底板
３５      柱状部材
４０      フレーム
５０      桁材
５１      補助材
５５      梁材
５５      ボルト
６０    アンカー杭
１００      太陽光発電システム
Ｇ      地面
【図１】
2016127716.tif 000003
【図２】
2016127716.tif 000004
【図３】
2016127716.tif 000005
【図４】
2016127716.tif 000006
【図５】
2016127716.tif 000007
【図６】
2016127716.tif 000008
【図７】
2016127716.tif 000009
【図８】
2016127716.tif 000010
【図９】
2016127716.tif 000011
【図１０】
2016127716.tif 000012